【手続補正書】
【提出日】平成19年7月4日(2007.7.4)
【手続補正１】
【補正対象書類名】特許請求の範囲
【補正対象項目名】請求項２
【補正方法】変更
【補正の内容】
【請求項２】
前記第１の処理水を作る工程および前記第２の処理水を作る工程が、前記排水または前記ろ液に消石灰を添加する工程と、
前記消石灰を添加した後に凝集剤を添加する工程とを備える；
請求項１に記載の排水処理方法。
【手続補正２】
【補正対象書類名】特許請求の範囲
【補正対象項目名】請求項４
【補正方法】変更
【補正の内容】
【請求項４】
前記凝集剤がキレート化剤と無機凝集剤と高分子凝集剤とを含み；
前記第１の処理水を作る工程および前記第２の処理水を作る工程が、消石灰を添加する工程、その後キレート化剤を添加する工程、その後無機凝集剤を添加する工程、その後高分子凝集剤を添加する工程を含む；
請求項３に記載の排水処理方法。
【手続補正３】
【補正対象書類名】特許請求の範囲
【補正対象項目名】請求項７
【補正方法】変更
【補正の内容】
【請求項７】
所定粒径の浮遊物質を含む排水に消石灰および凝集剤を添加し、第１の混合液とする第１の薬注装置と；
前記第１の混合液をろ液と固形物とに分離し、該固形物によりろ過膜にコーティングが形成される脱水機と；
前記脱水機で分離されたろ液に消石灰および凝集剤を添加し、第２の混合液とする第２の薬注装置と；
前記第１の混合液を前記脱水機に送り、前記ろ液と前記固形物とに分離し、ろ過膜に前記固形物によりコーティングを形成し、前記コーティングが形成された脱水機を用いて前記第２の混合液をろ過するように運転を制御する制御装置とを備える；
排水処理装置。
【手続補正４】
【補正対象書類名】特許請求の範囲
【補正対象項目名】請求項８
【補正方法】変更
【補正の内容】
【請求項８】
所定粒径の浮遊物質を含む排水に消石灰および凝集剤を添加し、第１の混合液とする第１の薬注装置と；
前記第１の混合液をろ液と固形物とに分離し、該固形物によりろ過膜にコーティングが形成される脱水機と；
前記脱水機で分離されたろ液に消石灰および凝集剤を添加し、第２の混合液とする第２の薬注装置と；
前記第１の混合液を静置する第１の沈降槽であって、
前記第１の沈降槽内の液面近傍から前記第１の沈降槽内に鉛直方向に設置され、前記第１の沈降槽の内径より小さい内径を有する第１の排水導入筒と、
前記第１の排水導入筒内に該筒に対して接線方向に前記静置する第１の混合液を導入する第１の排水導入管と、
前記第１の沈降槽の底面近傍を掻き取るように回転する第１の掻き取り羽根とを有する第１の沈降槽、または
前記第２の混合液を静置する第２の沈降槽であって、
前記第２の沈降槽内の液面近傍から前記第２の沈降槽内に鉛直方向に設置され、前記第２の沈降槽の内径より小さい内径を有する第２の排水導入筒と、
前記第２の排水導入筒内に該筒に対して接線方向に前記静置する第２の混合液を導入する第２の排水導入管と、
前記第２の沈降槽の底面近傍を掻き取るように回転する第２の掻き取り羽根とを有する第２の沈降槽とを備える；
排水処理装置。
【手続補正５】
【補正対象書類名】明細書
【補正対象項目名】０００２
【補正方法】変更
【補正の内容】
【０００２】
焼却炉等の排ガスの洗浄排水には、無機フッ素化合物や重金属類およびＳＳなどが含まれている。これらの含有成分を除去することが環境保全あるいは人体の健康維持の上で要求されており、排水汚濁防止法によっても含有量が規定されている。従来から、重金属類については、アルカリ性物質を添加して、沈殿させる方法が行われてきたが、重金属の種類によって析出し易いｐＨが異なるなど一度の処理では充分に除去しきれないのが実情であった。また、被処理水中に含まれるフッ素イオンの除去方法としては、水中に消石灰等を添加して、フッ素イオンをフッ化カルシウムとして沈殿させるカルシウム凝集沈殿法が最も一般的に行われてきたが、充分な濃度まで除去することは難しかった。そこで、薬剤に加え、活性アルミナを添加し、フッ素イオンを除去する方法が考案されている（特許文献１参照）。
【手続補正６】
【補正対象書類名】明細書
【補正対象項目名】０００７
【補正方法】変更
【補正の内容】
【０００７】
また、請求項２に記載の発明に係る排水処理方法は、例えば図１および図４に示すように、請求項１に記載の排水処理方法において、第１の処理水Ｅ１を作る工程Ｓｔ１１〜Ｓｔ１４および第２の処理水Ｅ２を作る工程Ｓｔ２１〜Ｓｔ２４が、排水Ｄ１またはろ液Ｌ１に消石灰Ｍ１、Ｍ２を添加する工程Ｓｔ１１、Ｓｔ２１と；消石灰Ｍ１、Ｍ２を添加した後に凝集剤Ｎ１、Ｎ２、Ｐ１、Ｐ２、Ｑ１、Ｑ２を添加する工程Ｓｔ１２〜Ｓｔ１４、Ｓｔ２２〜Ｓｔ２４とを備える。
【手続補正７】
【補正対象書類名】明細書
【補正対象項目名】０００８
【補正方法】変更
【補正の内容】
【０００８】
このように構成すると、消石灰と反応して、無機フッ素化合物が不溶性のフッ化カルシウムとなり、重金属類は不溶性の水酸化物となり微粒子として析出する。そこで、凝集剤の添加により析出した微粒子が凝集し、より大きな凝集物である固形物に成長する。
【手続補正８】
【補正対象書類名】明細書
【補正対象項目名】００１１
【補正方法】変更
【補正の内容】
【００１１】
また、請求項４に記載の発明に係る排水処理方法は、例えば図１および図４に示すように、請求項３に記載の排水処理方法において、凝集剤がキレート化剤Ｎ１、Ｎ２と無機凝集剤Ｐ１、Ｐ２と高分子凝集剤Ｑ１、Ｑ２とを含み；第１の処理水Ｅ１を作る工程Ｓｔ１１〜Ｓｔ１４および第２の処理水Ｅ２を作る工程Ｓｔ２１〜Ｓｔ２４が、消石灰Ｍ１、Ｍ２を添加する工程Ｓｔ１１、Ｓｔ２１、その後キレート化剤Ｎ１、Ｎ２を添加する工程Ｓｔ１２、Ｓｔ２２、その後無機凝集剤Ｐ１、Ｐ２を添加する工程Ｓｔ１３、Ｓｔ２３、その後高分子凝集剤Ｑ１、Ｑ２を添加する工程Ｓｔ１４、Ｓｔ２４を含む。
【手続補正９】
【補正対象書類名】明細書
【補正対象項目名】００１２
【補正方法】変更
【補正の内容】
【００１２】
このように構成すると、消石灰と反応して、無機フッ素化合物が不溶性のフッ化カルシウムとなり、重金属類は不溶性の水酸化物となり、キレート化剤を添加すると重金属類の不溶性キレート化合物である固形物が生成する。無機凝集剤を添加すると、無機凝集剤はまず水に均一に溶解し、その後無機水酸化物が析出する。無機水酸化物は、析出するときにはすでに重金属類の水酸化物やフッ化カルシウムや不溶性キレート化合物の析出物が周囲に存在するため、それらを効率よく吸着してより大きな重い凝集物である固形物に成長する。高分子凝集剤により、更に大きな重い凝集物である固形物に成長する。よって、その後の沈降分離およびろ過工程で効率よく固液分離することができる。
【手続補正１０】
【補正対象書類名】明細書
【補正対象項目名】００１７
【補正方法】変更
【補正の内容】
【００１７】
前記目的を達成するため、請求項７に記載の発明に係る排水処理装置は、例えば図１に示すように、所定粒径のＳＳを含む排水Ｄ１に消石灰Ｍ１および凝集剤Ｎ１、Ｐ１、Ｑ１を添加し、第１の混合液Ｅ１とする第１の薬注装置６１〜６４と；第１の混合液Ｅ１をろ液Ｌ１と固形物とに分離し、該固形物によりろ過膜３１にコーティングが形成される脱水機３０と；脱水機３０で分離されたろ液Ｌ１に消石灰Ｍ２および凝集剤Ｎ２、Ｐ２、Ｑ２を添加し、第２の混合液Ｅ２とする第２の薬注装置６６〜６９と；第１の混合液Ｅ１を脱水機３０に送り、ろ液Ｌ１と固形物とに分離し、ろ過膜３１に前記固形物によりコーティングを形成し、コーティングが形成された脱水機３０を用いて第２の混合液Ｅ２をろ過するように運転を制御する制御装置４０とを備える。
【手続補正１１】
【補正対象書類名】明細書
【補正対象項目名】００１８
【補正方法】変更
【補正の内容】
【００１８】
このように構成すると、第１の薬注装置により添加された消石灰および凝集剤では析出しなかった無機フッ素化合物および重金属類を、第２の薬注装置により添加された消石灰および凝集剤で析出させ、除去することができるので、無機フッ素化合物および重金属類を低濃度まで除去する排水処理装置となる。更に、第１の薬注装置により消石灰および凝集剤が添加された第１の混合液をろ過し、その際粒径の大きなＳＳなどを含む固形物がろ過膜にコーティングされ、そのコーティングされたろ過膜を有する脱水機を用いて、第２の薬注装置により消石灰および凝集剤が添加された第２の混合液をろ過するので、第２の混合液に粒径の小さな粒子からなる凝集物である固形物だけが含まれる場合であっても、ろ過膜の目詰まりを生じにくい。
【手続補正１２】
【補正対象書類名】明細書
【補正対象項目名】００１９
【補正方法】変更
【補正の内容】
【００１９】
更に、前記目的を達成するため、請求項８に記載の発明に係る排水処理装置は、例えば図１および図２に示すように、所定粒径のＳＳを含む排水Ｄ１に消石灰Ｍ１および凝集剤Ｎ１、Ｐ１、Ｑ１を添加し、第１の混合液Ｅ１とする第１の薬注装置６１〜６４と；第１の混合液Ｅ１をろ液Ｌ１と固形物とに分離し、該固形物によりろ過膜３１にコーティングが形成される脱水機３０と；脱水機３０で分離されたろ液Ｌ１に消石灰Ｍ２および凝集剤Ｎ２、Ｐ２、Ｑ２を添加し、第２の混合液とする第２の薬注装置６６〜６９と；第１の混合液Ｅ１を静置する第１の沈降槽１１であって、第１の沈降槽１１内の液面Ｌ近傍から第１の沈降槽１１内に鉛直方向に設置され、第１の沈降槽１１の内径より小さい内径を有する第１の排水導入筒１４と、第１の排水導入筒１４内に該筒１４に対して接線方向に前記静置する第１の混合液Ｅ１を導入する第１の排水導入管５１と、第１の沈降槽１１の底面１９近傍を掻き取るように回転する第１の掻き取り羽根１６とを有する第１の沈降槽１１、または、第２の混合液Ｅ２を静置する第２の沈降槽１２であって、第２の沈降槽１２内の液面Ｌ近傍から第２の沈降槽１２内に鉛直方向に設置され、第２の沈降槽１２の内径より小さい内径を有する第２の排水導入筒１４’と、第２の排水導入筒１４’内に該筒１４’に対して接線方向に静置する第２の混合液Ｅ２を導入する第２の排水導入管５４と、第２の排水導入筒１４’の底面１９’近傍を掻き取るように回転する第２の掻き取り羽根１６’とを有する第２の沈降槽１２とを備える。
【手続補正１３】
【補正対象書類名】明細書
【補正対象項目名】００２０
【補正方法】変更
【補正の内容】
【００２０】
このように構成すると、第１または第２の沈降槽内において、消石灰および凝集剤が添加された第１の混合液Ｅ１または第２の混合液Ｅ２を第１または第２の排水導入筒内で旋回させることにより、排水中の凝集物である固形物の密度分布に勾配をつけ、凝集物である固形物を大きく成長させることができ、その後、静置することにより、前記固形物を沈降させることができる。すなわち、一つの沈降槽で凝集物である固形物の成長と沈降を行うことができる排水処理装置となる。
【手続補正１４】
【補正対象書類名】明細書
【補正対象項目名】００２３
【補正方法】変更
【補正の内容】
【００２３】
図１は、本発明の一実施の形態である排水処理装置１のブロック図である。排水処理装置１は、焼却炉等の排ガスの洗浄排水Ｄ０（以降、単に「排水Ｄ０］ともいう。）を受け入れ、ＳＳなどを沈降させ上澄み液Ｔ０を分離する受入沈降槽１０と、受入沈降槽１０でＳＳなどを沈降させ濃縮した濃縮排水Ｄ１に後述する薬剤を添加した第１の混合液である第１の処理水Ｅ１を静置し、凝集物である固形物を沈降させ上澄み液Ｔ１を分離する第１の沈降槽１１と、第１の沈降槽１１で固形物を沈降させ濃縮した第１の濃縮液Ｓ１をろ過膜３１でろ過する脱水機３０と、脱水機３０で分離されたろ液Ｌ１と上澄み液Ｔ１とが合流した合流液Ｇに後述する薬剤を添加した第２の混合液である第２の処理水Ｅ２を静置し、凝集物である固形物を沈降させ上澄み液Ｔ２を分離する第２の沈降槽１２とを備える。更に、受入沈降槽１０でＳＳなどを沈降させ濃縮した濃縮排水Ｄ１を吸い込み、後述の第１消石灰攪拌槽７１へ圧送し、さらに第１の沈降槽１１へ送る濃縮排水ポンプ２０と、第１の沈降槽１１で固形物を沈降させ濃縮した第１の濃縮液Ｓ１を吸い込み、脱水機３０へ圧送する第１の濃縮液ポンプ２１と、第２の沈降槽１２で固形物を沈降させ濃縮した第２の濃縮液Ｓ２を吸い込み、脱水機３０へ圧送する第２の濃縮液ポンプ２２とを備える。
【手続補正１５】
【補正対象書類名】明細書
【補正対象項目名】００２４
【補正方法】変更
【補正の内容】
【００２４】
また、排水処理装置１は、受入沈降槽１０の上澄み液Ｔ０を排出する配管５０と、濃縮排水Ｄ１を受入沈降槽１０から濃縮排水ポンプ２０を経て第１消石灰攪拌槽７１から第１の沈降槽１１へと送る配管５１と、第１の濃縮液Ｓ１を第１の沈降槽１１から第１の濃縮液ポンプ２１を経て脱水機３０に送る配管５３と、ろ液Ｌ１を脱水機３０から第２消石灰攪拌槽７６へと、そして第２の沈降槽１２に送る配管５４と、第１の沈降槽１１から配管５４に連接し上澄み液Ｔ１をろ液Ｌ１に混入させ合流液Ｇとするための配管５２と、第２の沈降槽１２の上澄み液Ｔ２を排出する配管５５と、第２の濃縮液Ｓ２を第２の沈降槽１２から第２の濃縮液ポンプ２２を経て脱水機３０に送る配管５６と、脱水機３０から配管５５に連接しろ液Ｌ２を排出する配管５７とを備える。配管５４には、配管５２が連接した位置の下流側に、クッション槽８１が配置され、クッション槽８１に貯留された合流液Ｇを第２の沈降槽１２に吐出するクッション槽ポンプ８２が備えられる。なお、配管５０〜５７は、管により構成された配管路に限られず、トレンチなどで形成された流路でもよく、配管には、それらの流路を含むものとする。
【手続補正１６】
【補正対象書類名】明細書
【補正対象項目名】００２５
【補正方法】変更
【補正の内容】
【００２５】
また、排水処理装置１においては、濃縮排水Ｄ１に、消石灰（水酸化カルシウム：Ｃａ（ＯＨ）２）スラリーを添加する第１消石灰注入装置６１と、凝集剤あるいは重金属捕集剤としてのキレート化剤を添加する第１キレート化剤注入装置６２と、無機凝集剤としての塩化第二鉄（ＦｅＣｌ３）を添加する第１無機凝集剤注入装置６３と、高分子凝集剤を添加する第１高分子凝集剤注入装置６４とが、上流側からこの順で、配管５１に接続している。消石灰（Ｃａ（ＯＨ）２）スラリー、キレート化剤、塩化第二鉄および高分子凝集剤（以降、まとめて「薬剤」と総称する。）が濃縮排水Ｄ１に添加された下流側に、それぞれ第１消石灰攪拌槽７１、第１キレート化剤攪拌槽７２、第１無機凝集剤攪拌槽７３、第１高分子凝集剤攪拌槽７４（まとめて第１攪拌槽７１〜７４ともいう。）が配置され、濃縮排水Ｄ１と薬剤とを攪拌混合する。第１攪拌槽７１〜７４は、縦置きの容器であって、その中に内容液を攪拌するための攪拌翼（不図示）を有する。攪拌翼は、モータ軸（不図示）に接続され、モータの回転により攪拌翼が回転する構成となっている。これらの注入装置６１〜６４および第１攪拌槽７１〜７４が第１の薬注装置を構成する。 
【手続補正１７】
【補正対象書類名】明細書
【補正対象項目名】００２６
【補正方法】変更
【補正の内容】
【００２６】
合流液Ｇに、消石灰（Ｃａ（ＯＨ）２）スラリーを添加する第２消石灰注入装置６６と、凝集剤あるいは重金属捕集剤としてのキレート化剤を添加する第２キレート化剤注入装置６７と、無機凝集剤としての塩化第二鉄（ＦｅＣｌ３）を添加する第２無機凝集剤注入装置６８と、高分子凝集剤を添加する第２高分子凝集剤注入装置６９とが、上流側からこの順で、配管５４のクッション槽ポンプ８２の下流側に接続している。各々の薬剤が合流液Ｇに添加された下流側に、それぞれ第２消石灰攪拌槽７６、第２キレート化剤攪拌槽７７、第２無機凝集剤攪拌槽７８、第２高分子凝集剤攪拌槽７９（まとめて第２攪拌槽７６〜７９ともいう。）が配置され、合流液Ｇと薬剤とを攪拌混合する。第２攪拌槽７６〜７９の構成は、第１攪拌槽７１〜７４と同じであるので、説明を省略する。これらの注入装置６６〜６９および第２攪拌槽７６〜７９が第２の薬注装置を構成する。 
【手続補正１８】
【補正対象書類名】明細書
【補正対象項目名】００３５
【補正方法】変更
【補正の内容】
【００３５】
図１に戻って、排水処理装置１の説明を続ける。第１消石灰注入装置６１、第１キレート化剤注入装置６２、第１無機凝集剤注入装置６３、第１高分子凝集剤注入装置６４、第２消石灰注入装置６６、第２キレート化剤注入装置６７、第２無機凝集剤注入装置６８および第２高分子凝集剤注入装置６９は、それぞれ薬剤を収容する薬剤タンクと定量の薬剤を送出する往復動型ポンプと配管５１あるいは配管５４に接続する管路とを有する。ポンプは、他の形式でもよく、必要に応じて、流量調節弁を管路上に配して、流量を調節してもよい。あるいは、薬剤タンクを配管５１、配管５４より高い位置に設置し、重力で流れるようにしてもよい。 
【手続補正１９】
【補正対象書類名】明細書
【補正対象項目名】００３６
【補正方法】変更
【補正の内容】
【００３６】
図４に、排水処理装置１における排水の処理の手順を説明するフローチャートを示し、図１および図４を参照して、排水処理装置１の作用について説明する。先ず焼却炉（不図示）からの排水Ｄ０が受入沈降槽１０に送られる。焼却炉からの排水Ｄ０中には、無機フッ素化合物や重金属類などの、そのまま廃棄しては環境に悪影響を及ぼす含有物に加え、焼却炉内で炭化したカーボン粒子などの懸濁物であるＳＳが含まれている。重金属類には、カドミウム、鉛、水銀、クロム、砒素、銅、ニッケル、マンガン、鉄、亜鉛などを含む。また、排水Ｄ０は、通常ｐＨ５〜７の弱酸性である。
【手続補正２０】
【補正対象書類名】明細書
【補正対象項目名】００３７
【補正方法】変更
【補正の内容】
【００３７】
受入沈降槽１０で排水Ｄ０を受け入れつつ、受け入れた排水Ｄ０を受入沈降槽１０内で静置する。受入沈降槽１０は、受け入れる排水Ｄ０の流量に対し、ＳＳなどを沈降させるのに充分な容量を確保する。排水Ｄ０は、静置されることにより、ＳＳなどが沈降する。ＳＳなどが沈降した残りの上澄み液Ｔ０は、受入沈降槽１０の側面から配管５０を通じて排出され、不図示の焼却炉の排ガス洗浄装置に戻され、再利用される。これにより、処理すべき排水である濃縮排水Ｄ１の総量を減じ、後段の設備の小型化が図れる。
【手続補正２１】
【補正対象書類名】明細書
【補正対象項目名】００３８
【補正方法】変更
【補正の内容】
【００３８】
受入沈降槽１０の底部の、ＳＳなどを沈降させ濃縮した濃縮排水Ｄ１は、濃縮排水ポンプ２０により吸い込まれ、タンク底部から配管５１に流れる。配管５１を流れる濃縮排水Ｄ１に第１消石灰注入装置６１から消石灰スラリーＭ１が添加され、第１消石灰攪拌槽７１で攪拌混合される（Ｓｔ１１）。消石灰スラリーＭ１が添加されることにより濃縮排水Ｄ１のｐＨは、７．５以上９．５以下に調整される。濃縮排水Ｄ１のｐＨは、好ましくは８以上９以下に調整される。消石灰スラリーＭ１は、濃縮排水Ｄ１の１リットル中に３００〜１８００ｍｇ、好ましくは５００〜１５００ｍｇ添加される。濃縮排水Ｄ１に含まれる無機フッ素化合物や重金属類が消石灰と反応することにより、無機フッ素化合物からフッ化カルシウム（ＣａＦ２）が生成し、重金属類から金属水酸化物（Ｍ（ＯＨ）Ｘ）が生成する。なお、Ｍは、重金属類を表す。また、消石灰を加えることによりｐＨが上昇し、無機フッ素化合物は水酸化マグネシウムと共沈し、すなわち、析出する。更に、消石灰微粒子は、フッ化カルシウムや重金属水酸化物を吸着する。このように、濃縮排水Ｄ１中の無機フッ素化合物および重金属類は析出し、消石灰微粒子に吸着されて、より大きな固形物に成長する。
【手続補正２２】
【補正対象書類名】明細書
【補正対象項目名】００３９
【補正方法】変更
【補正の内容】
【００３９】
消石灰スラリーＭ１は、生石灰を消化して生成したものが、粒径が細かく、重金属やフッ素との反応性や吸着性が向上するので好ましい。 
【手続補正２３】
【補正対象書類名】明細書
【補正対象項目名】００４３
【補正方法】変更
【補正の内容】
【００４３】
焼却炉の排ガスの洗浄排水には、粒径の大きなＳＳが含まれており、上記の重金属水酸化物の析出物、不溶性キレート化合物の析出物、フッ化カルシウムの析出物等が無機凝集剤および高分子凝集剤の添加により凝集したりして、ＳＳを含む大きな凝集物である固形物に成長する。なお、凝集物とは、無機金属やフッ化物などが薬剤と反応して不溶化した微粒子同士またはＳＳと、ファンデルワールス力によって密集した固形物の総称である。そこで濃縮排水Ｄ１に含まれるＳＳと消石灰および凝集剤の処理により生成した固形物の総量との比をＳ／（Ｆ−Ｓ）｛ここで、Ｓは濃縮排水Ｄ１に含まれるＳＳの濃度（ｍｇ／リットル）、Ｆは第１の処理水Ｅ１に含まれる固形物の濃度（ｍｇ／リットル）｝で表した場合に、Ｓ／（Ｆ−Ｓ）が０．１以上、好ましくは０．３以上、更に好ましくは０．５以上となるような濃度のＳＳが濃縮排水Ｄ１中に含まれていることが好適である。なお、濃縮排水Ｄ１に含まれるＳＳの濃度Ｓおよび第１の処理水Ｅ１に含まれる固形物の濃度Ｆは、ＪＩＳ  Ｋ  ０１０２：１９９８「工場排水試験方法」に準じて求めるものとする。
【手続補正２４】
【補正対象書類名】明細書
【補正対象項目名】００４９
【補正方法】変更
【補正の内容】
【００４９】
脱水機３０から取り出されたろ液Ｌ１が配管５４に流れるように、制御装置４０からの信号ｉ３によりろ液管３５の流路が切り替えられている。配管５４には、前述のとおりに第１の沈降槽１１からの配管５２が接続し、ろ液Ｌ１に第１の沈降槽１１の上澄み液Ｔ１が加わり、合流液Ｇとなる。上澄み液Ｔ１は連続的に流れるが、脱水機３０からのろ液Ｌ１は間歇的に流れるので、合流液Ｇの流量は変化することになる。そこで、クッション槽８１に合流液Ｇを貯留し、下流側に送る流量を安定させる。クッション槽８１からは、クッション槽ポンプ８２により定量的に合流液Ｇが送出される。合流液Ｇには、第２消石灰注入装置６６から消石灰スラリーＭ２が添加される（Ｓｔ２１）。消石灰スラリーＭ２が添加されることにより、合流液ＧのｐＨは８以上１０以下に調整される。ｐＨは、好ましくは８．５以上９．５以下に調整される。このように、第一段処理工程の第１の処理水Ｅ１と異なる範囲のｐＨに調整することにより、第一段処理工程では析出せず、分離されなかった重金属類および無機フッ素化合物を析出し、除去することができる。特に第一段処理工程では、濃縮排水Ｄ１に消石灰スラリーＭ１を添加することにより第１の処理水Ｅ１のｐＨを８．５前後とするので、鉛を析出し除去するのに好適であり、第二段処理工程では、合流液Ｇに消石灰スラリーＭ２を添加することにより第２の処理水Ｅ２のｐＨを９前後とするので、カドミウムやフッ素化合物を除去するのに好適である。このように、第一段処理工程における第１の処理水Ｅ１のｐＨを、第二段処理工程における第２の処理水Ｅ２のｐＨよりも低くすることが好ましい。
【手続補正２５】
【補正対象書類名】明細書
【補正対象項目名】００５８
【補正方法】変更
【補正の内容】
【００５８】
排水処理装置１を用いて、排水を処理し、その処理液中に残留する重金属およびフッ素の量を測定した。排水中の元素およびｐＨの測定方法および測定装置を、図６にまとめて示す。焼却炉の排ガスの洗浄排水を用い、未処理の排水（原水）、第一段処理工程による処理水および第二段処理工程による処理水に含まれる元素を測定した結果を図７に示す。なお、ここでいう原水とは、受入沈降槽１０（図１参照）で沈降した濃縮排水Ｄ１（図１参照）を指す。図７には、薬剤添加量を僅かに変えた２回（実験Ｎｏ．１および２）の測定結果を示す。また、図７中、第二段処理後の除去率は、原水からの除去率を表す。
【手続補正２６】
【補正対象書類名】明細書
【補正対象項目名】００５９
【補正方法】変更
【補正の内容】
【００５９】
実験Ｎｏ．１において、原水に含まれるＳＳの濃度Ｓと消石灰および凝集剤の処理により生成した固形物の総量の濃度Ｆとを測定し、その比Ｓ／（Ｆ−Ｓ）を調べた。原水中に含まれるＳＳの濃度（Ｓ）は８３７０ｍｇ／リットルであり、第１処理工程による処理水に含まれる固形物の総量の濃度（Ｆ）は２２５００ｍｇ／リットルであった。これより、Ｓ／（Ｆ−Ｓ）は、０．５９となった。
【手続補正２７】
【補正対象書類名】明細書
【補正対象項目名】００６１
【補正方法】変更
【補正の内容】
【００６１】
【図１】本発明の一実施の形態である排水処理装置を説明するブロック図である。
【図２】第１の沈降槽および第２の沈降槽の構造を説明する模式的断面図である。
【図３】フィルタープレス型脱水機を説明する斜視図である。図３（ａ）は、ろ室が形成され、第１または第２の濃縮液が圧入されるフィルタープレス型脱水機を示す。図３（ｂ）は、第２の濃縮液の圧入後、空気で固形物を圧搾するフィルタープレス型脱水機を示す。図３（ｃ）は、ろ板を開き、脱水ケーキを取り除くフィルタープレス型脱水機を示す。図３（ｄ）は、洗浄水でろ過膜を洗浄するフィルタープレス型脱水機を示す。
【図４】排水処理装置１における排水の処理の手順を説明するフローチャートである。
【図５】脱水機のろ過膜上に形成されるコーティングを説明する斜視図である。
【図６】排水中の元素およびｐＨの分析方法および分析装置をまとめて示す図である。
【図７】本発明に係る処理方法で処理した排水に添加した薬剤と、処理水に含まれる元素の測定結果をまとめて示す図である。
【手続補正２８】
【補正対象書類名】明細書
【補正対象項目名】００６２
【補正方法】変更
【補正の内容】
【００６２】
１  排水処理装置
１０  受入沈降槽
１１  第１の沈降槽
１２  第２の沈降槽
１３、１３’  第１の容器、第２の容器
１４、１４’  第１の排水導入筒、第２の排水導入筒
１５、１５’  第１の回転軸、第２の回転軸
１６、１６’  第１の掻き取り羽根、第２の掻き取り羽根
１９、１９’  底面
２０  濃縮排水ポンプ
２１  第１の濃縮液ポンプ
２２  第２の濃縮液ポンプ
３０  脱水機
３１  ろ過膜
３２  ろ板
３３  ろ室
３４  給液口
３５  ろ液管
３６  コーティング
４０  制御装置
５０、５２、５３、５５〜５７  配管
５１  配管（第１の排水導入管）
５４  配管（第２の排水導入管）
６１  第１消石灰注入装置（第１の薬注装置）
６２  第１キレート化剤注入装置（第１の薬注装置）
６３  第１無機凝集剤注入装置（第１の薬注装置）
６４  第１高分子凝集剤注入装置（第１の薬注装置）
６６  第２消石灰注入装置（第２の薬注装置）
６７  第２キレート化剤注入装置（第２の薬注装置）
６８  第２無機凝集剤注入装置（第２の薬注装置）
６９  第２高分子凝集剤注入装置（第２の薬注装置）
７１  第１消石灰攪拌槽
７２  第１キレート化剤攪拌槽
７３  第１無機凝集剤攪拌槽
７４  第１高分子凝集剤攪拌槽
７６  第２消石灰攪拌槽
７７  第２キレート化剤攪拌槽
７８  第２無機凝集剤攪拌槽
７９  第２高分子凝集剤攪拌槽
８１  クッション槽
８２  クッション槽ポンプ
Ｃ  脱水ケーキ
Ｄ０  排水
Ｄ１  濃縮排水
Ｅ１  第１の処理水（第１の混合液）
Ｅ２  第２の処理水（第２の混合液）
Ｆ  第１の処理水中の固形物濃度（ｍｇ／リットル）
Ｇ  合流液
ｉ１〜３  制御装置からの信号
Ｌ  （第１のまたは第２の沈降槽の）液面
Ｌ１、Ｌ２  ろ液
Ｍ１、Ｍ２  消石灰スラリー（消石灰）
Ｎ１、Ｎ２  キレート化剤（凝集剤）
Ｐ１、Ｐ２  塩化第二鉄（無機凝集剤）
Ｑ１、Ｑ２  高分子凝集剤
Ｓ  濃縮排水のＳＳ濃度（ｍｇ／リットル）
Ｓ１  第１の濃縮液
Ｓ２  第２の濃縮液
ＳＤ  沈降物上面
Ｔ０〜Ｔ２  上澄み液
【手続補正２９】
【補正対象書類名】図面
【補正対象項目名】図４
【補正方法】変更
【補正の内容】
【図４】
2006021173.tif 000001